(57)【要約】  【課題】  作業者が手を自由に使えないような場合でも比較的簡単かつスムーズに開放でき、安全性に優れた仮設足場用の開閉式手摺を提供する。  【解決手段】  パイプクランプ２の基部裏面側に略コ字形状の支持片５を備え、前記パイプクランプ２を建地パイプＢに固定したときに支持片５の溝部５ａがパイプクランプ２とは反対方向でかつ上方へ若干傾斜させた状態で固着すると共に、前記支持片５の溝部５ａ内には手摺材３の基端部を嵌め入れて溝部５ａに沿って回動可能なように軸支する。そして、前記構成の開閉式手摺１を仮設足場Ａに設置した場合には、作業者は手で手摺材３の開放操作をせずとも、手摺材３に体の一部を押し当ててそのまま押し進めるようにすれば比較的簡単かつスムーズに開放させることができ、作業者の手が荷物等で塞がっているような場合でも安全に通行することが可能となる。【選択図】  図８
2014009562.tif 000002
【特許請求の範囲】
【請求項１】
仮設足場の作業床周囲に立設される手摺の開口部に対して設置する開閉式の手摺であって、仮設足場の建地パイプに固定するパイプクランプの基部裏面側に略コ字形状の支持片を備え、前記パイプクランプを建地パイプに固定したときに支持片の溝部がパイプクランプとは反対方向でかつ所定角度上方を向くように傾斜させた状態で固着すると共に、前記支持片の溝部内には直管状の手摺材の基端部を嵌め入れて溝部に沿って回動自在に軸支して成り、この開閉式手摺を仮設足場に設置した状態で手摺材を開放方向へ押し込んだときには、手摺材は前記押し込み方向に対して前方斜め上方へ跳ね上がるように回動する構成としたことを特徴とする仮設足場用の開閉式手摺。
【請求項２】
前記手摺材を伸縮自在としたことを特徴とする請求項１記載の仮設足場用の開閉式手摺。
【発明の詳細な説明】
【技術分野】
【０００１】
本発明は、土木、建築等の工事現場に構築する仮設足場の作業床周囲に立設する手摺に関し、特に作業者が通行可能なように開閉自在に備えた仮設足場用の開閉式手摺に関する。
【背景技術】
【０００２】
土木、建築などの工事現場においては、例えば、複数の鋼管や足場板等を上下左右に連結して所望高さの仮設足場を構築し、作業者はこの仮設足場の作業床上に上がって各種の工事作業にあたっている。また、前記作業床の周囲には作業者の転落防止用に手摺を設置しているが、作業者の昇降用に別途取り付けられる梯子や仮設階段からの乗り継ぎ部分については、通行の妨げとならないように手摺を設けずに開口部としている一方、該開口部に対する安全対策として、例えばチェーンやロープ等を掛け渡したり、開閉式の扉体等を設置するようにしている。
【０００３】
例えば、特許文献１（実開昭６３−６４８９６号公報）や特許文献２（実開平７−２５１５１号公報）には、仮設足場等の作業床周囲の手摺の開口部に対して設置される枠体状の開閉扉が開示されている。上記開閉扉にあっては、扉体を回動自在に支持する手摺支柱のヒンジ部分に傾斜面を施しており、作業者が手で扉体を開放側へ押し込むと扉体は前記傾斜面に沿って回動して開放状態となる一方、作業者が作業床上に乗り移って扉体から手を離すと、扉体はその自重によって傾斜面の低位側である初期位置へと回動して元の閉鎖状態に自動復帰するように構成されており、梯子や階段等から乗り移ろうとする作業者の通行を妨げることなく、かつ作業時などにおける手摺開口部の閉鎖を確実なものとしてより安全性に優れたものとしている。
【先行技術文献】
【特許文献】
【０００４】
【特許文献１】実開昭６３−６４８９６号公報
【特許文献２】実開平７−２５１５１号公報
【発明の概要】
【発明が解決しようとする課題】
【０００５】
しかしながら、上記従来の仮設足場用開閉扉にあっては、扉体はヒンジ部分の傾斜面を摺動しながら回動する一方、開放状態の扉体から手を離せば扉体の自重でもって前記傾斜面を滑り落ちるように閉鎖方向へと回動する構成としているため、前記ヒンジ部分の傾斜面には扉体が摩擦力に打ち勝って滑り落ちることが可能なだけの傾斜角度を設けたり、扉体にもある程度の重量を備えたものを用意する必要がある。したがって、作業者が前記扉体を開放させる際には、それなりの重量を有した扉体をヒンジ部分の傾斜面に逆らって押し上げていくような操作が求められ、例えば、梯子を登っている途中の作業者が片手を梯子から離した上で前記開放操作をしようとすれば、不安定となって安全面で問題となる可能性がある。なお、階段の場合であれば、片手を階段手摺等に添えながら他方の手で前記開放操作を安全に行えると思料されるが、例えば、建築材料や工具類を持ち運ぶような作業を伴う場合には、やはり前記開放操作は安全面において問題となる可能性がある。
【０００６】
本発明は上記の点に鑑み、作業者が手を自由に使えないような場合でも比較的簡単かつスムーズに開放でき、安全性に優れた仮設足場用の開閉式手摺を提供することを課題とする。
【課題を解決するための手段】
【０００７】
上記の課題を解決するために、本発明に係る請求項１記載の仮設足場用の開閉式手摺では、仮設足場の作業床周囲に立設される手摺の開口部に対して設置する開閉式の手摺であって、仮設足場の建地パイプに固定するパイプクランプの基部裏面側に略コ字形状の支持片を備え、前記パイプクランプを建地パイプに固定したときに支持片の溝部がパイプクランプとは反対方向でかつ所定角度上方を向くように傾斜させた状態で固着すると共に、前記支持片の溝部内には直管状の手摺材の基端部を嵌め入れて溝部に沿って回動自在に軸支して成り、この開閉式手摺を仮設足場に設置した状態で手摺材を開放方向へ押し込んだときには、手摺材は前記押し込み方向に対して前方斜め上方へ跳ね上がるように回動する構成としたことを特徴としている。
【０００８】
また、請求項２記載の仮設足場用の開閉式手摺では、前記手摺材を伸縮自在としたことを特徴としている。
【発明の効果】
【０００９】
本発明に係る請求項１記載の仮設足場用の開閉式手摺によれば、パイプクランプの基部裏面側に略コ字形状の支持片を備え、前記パイプクランプを建地パイプに固定したときに支持片の溝部がパイプクランプとは反対方向でかつ所定角度上方へ傾斜させた状態で固着すると共に、前記支持片の溝部内には手摺材の基端部を嵌め入れて溝部に沿って回動可能なように軸支して成り、この開閉式手摺を仮設足場に設置した状態で手摺材を開放方向へ押し込めば、手摺材は押し込み方向に対して前方斜め上方へ跳ね上がるように回動する構成としたので、手摺開口部を通行する作業者が手を自由に使えないような場合であっても、手摺開口部を閉鎖する手摺材に体の一部を押し当ててそのまま開放方向へ押し進めるようにするだけで比較的簡単かつスムーズに開放させることができ、作業者は不安定な姿勢をとることなく安全に通行することが可能となる。
【００１０】
また、請求項２記載の仮設足場用の開閉式手摺によれば、手摺材を伸縮自在としたので、手摺材を手摺開口部の間口に応じた適当な長さに簡単に調整でき、作業安全性をより確実なものとすることができる。
【図面の簡単な説明】
【００１１】
【図１】本発明に係る仮設足場用の開閉式手摺の一実施例の正面図である。
【図２】図１の側面図である。
【図３】図１の平面図である。
【図４】図１の要部拡大図である。
【図５】図２の要部拡大図である。
【図６】図３の要部拡大図である。
【図７】仮設足場用の開閉式手摺を仮設足場の手摺開口部に設置した状態を示す説明図である。
【図８】図７の一部を省略した要部拡大図であって、（ａ）正面図、（ｂ）側面図、（ｃ）平面図である。
【発明を実施するための形態】
【００１２】
本発明に係る仮設足場用の開閉式手摺にあっては、仮設足場の建地パイプを把持して固定するパイプクランプを備え、該パイプクランプの基部裏面側には略コ字形状の支持片を備えていると共に、パイプクランプを建地パイプに固定したときに支持片の溝部がパイプクランプとは反対方向でかつ若干上方を向くように傾斜させた状態で固着している。また、前記支持片の溝部内には伸縮自在に構成した直管状の手摺材の基端部を嵌め入れ、該手摺材が溝部に沿って回動可能なように軸支している。
【００１３】
そして、上記構成の開閉式手摺を、例えば、仮設足場の作業床周囲に立設される手摺の開口部に設置するときには、手摺材の長さを手摺開口部の間口に応じて調整すると共に、手摺開口部の側部に位置する建地パイプの適宜高さ位置に、前記支持片の溝部側が手摺開口部とは反対側を向くようにしてパイプクランプを固定する。このとき、支持片の溝部は手摺開口部側が低く、その反対側の作業床側が高くなるように傾斜しているため、該支持片の溝部に軸支される手摺材は、その自重によって低位側である手摺開口部側に回動しきった状態で略水平に支持され、手摺開口部を閉鎖状態に維持する。
【００１４】
そして、作業者が前記手摺開口部を通って作業床上へ乗り移るときには、作業者は手摺開口部を閉鎖している前記手摺材を作業床側へ押し込んで回動させ、開口部を開放状態として作業床上へと乗り移る。このとき、作業者が梯子から乗り移る場合であったり、作業者の手が荷物で塞がっている場合など、手を自由に使えないような状態であっても、作業者は手摺り材に対して足や腰などの体の一部を押し当ててそのまま前方へ押し進めるようにすれば、手摺材は支持片の傾斜した溝部に沿って、作業者の進行方向と同じ前方側の斜め上方へと跳ね上がるように回動し、比較的簡単かつスムーズに開放される。
【００１５】
こうして、開放された手摺開口部を通って作業床上へ乗り移った作業者が手摺材から体を離せば、斜め上方へ跳ね上がった状態の手摺材はその自重によって低位側である手摺開口部側へと回動し、元の閉鎖状態に自動復帰する。
【００１６】
このように、本発明の開閉式手摺によれば、作業者が閉鎖状態にある手摺材を開放させる際に手を自由に使えないような状態であっても比較的簡単かつスムーズに開放させることができ、作業者は無理に手を使うような不安定な体勢をとることもなく安全に通行することが可能となる。また、手摺材を伸縮自在としているため、様々な現場に対しても柔軟に対応できて作業安全性に優れる。
【実施例】
【００１７】
以下、本発明の実施例を図面に基づいて説明する。
【００１８】
図中のＡは、土木、建築等の工事現場にて構築される枠組足場であって、鋼管製の複数の建地パイプＢや横架材Ｃ、また作業床となる足場板Ｄ等を上下左右に組み上げて構築している。また、前記作業床の周囲には作業者の転落防止用に、前記建地パイプＢや横架材Ｃ等から成る所定高さの手摺Ｅを立設している。図７中のＦは作業者が前記作業床と地上面とを昇降するための梯子であって、該梯子Ｆと作業床との乗り継ぎ部分にあたる手摺Ｅの一部（或いは全部）の横架材Ｃを省いて作業者が通行可能なように開口部Ｇを設けている一方、該開口部Ｇには安全対策として開閉式の手摺１を取り付けている。
【００１９】
前記開閉式手摺１は、仮設足場Ａの垂直部材である適宜の建地パイプＢを把持して固定するパイプクランプ２と、開口部Ｇを開閉する直管状の手摺材３とから構成され、前記パイプクランプ２の基部２ａ裏面側にはガイド部材４を介して略コ字形状の支持片５を備えており、パイプクランプ２を建地パイプＢに固定したときには、図に示すように、前記支持片５の溝部５ａがパイプクランプ２とは反対方向でかつ若干上方を向くように、例えば約３０度程度傾斜させた状態で固着している。
【００２０】
また、前記手摺材３は、鋼管製の外管３ａと、該外管３ａ内に摺動自在に遊嵌した内管３ｂとから成り、前記外管３ａには長手方向に沿って所定間隔にて複数の透孔６を穿設している一方、内管３ｂにはＶピン７を出没自在に備えており、前記外管３ａに対して内管３ｂを長手方向へスライドさせてＶピン７を何れかの透孔６へ嵌入させることにより手摺材３の長さを容易に調整可能としている。また、前記外管３ａの基端部を支持片５の溝部５ａ内に嵌め入れてボルト８にて軸支しており、図中の矢印で示すように、外管３ａ（手摺材３）を傾斜した前記溝部５ａに沿って回動可能としている。
【００２１】
そして、上記構成の開閉式手摺１を、例えば、仮設足場Ａの作業床周囲に立設される手摺Ｅの開口部Ｇに設置するときには、先ず、手摺材３を適宜長さ、例えば手摺開口部Ｇを閉鎖可能なように開口部Ｇの間口よりも若干長く調整すると共に、パイプクランプ２を手摺開口部Ｇの側部に位置する建地パイプＢの適宜高さ位置に、例えば開口部Ｇの略中間高さ位置に固定する。なお、前記パイプクランプ２の固定方向は、支持片５の溝部５ａ側が手摺開口部Ｇとは反対側の作業床側を向くように固定し、支持片５にて軸支される手摺材３が、図８に示すように、手摺開口部Ｇ側から作業床側に亘って回動可能なようにする。このとき、支持片５の溝部５ａは手摺開口部Ｇ側が最も低く、作業床側が高くなるように傾斜した状態となるため、該支持片５の溝部５ａに軸支される手摺材３は、その自重によって低位置である開口部Ｇ側に回動しきった状態で略水平に支持され、手摺開口部Ｇは手摺材３によって閉鎖状態に維持される。
【００２２】
一方、梯子Ｆから登ってくる作業者が手摺開口部Ｇを通って作業床上へ乗り移るときには、作業者は手摺開口部Ｇを閉鎖している前記手摺材３を、例えば手で作業床側へ押し込むようにして回動させ、開口部Ｇを開放状態として作業床上へと乗り移る。このとき、支持片５の傾斜した溝部５ａに沿って回動する手摺材３は、図８に示すように、開口部Ｇ側から作業床側へ押し込まれるにつれて、その押し込み方向に対して前方斜め上方へ跳ね上がるように回動するため、作業床上へ乗り移った作業者が手摺材３から手を離せば、手摺材３はその自重によって低位側である手摺開口部Ｇ側へと回動し、開口部Ｇは元の閉鎖状態へと自動復帰する。
【００２３】
また、上記の通り、手摺材３を作業者の進行方向である作業床側へ押し込むことで手摺材３は斜めに跳ね上がるように回動して開放される構成であるため、例えば、作業者が作業床上へ乗り移る際に、図７に示すように、梯子Ｆから乗り移る場合や、階段から乗り移る場合でも建築材料や工具類で手が塞がっている場合など、作業者が手を自由に使えないような状態であっても、作業者は手摺材３に足や腰などの体の一部を押し当てて、そのまま作業床側へ押し進めるようにすれば、手摺材３は前記同様に前方斜め上方へ跳ね上がるように回動し、比較的簡単かつスムーズに開放させることができる。
【００２４】
このように、本発明の開閉式手摺１によれば、作業時等における手摺開口部Ｇの閉鎖を確実なものとして作業安全性を良好なものとすることができると共に、作業者が手を自由に使えないような状況下で手摺開口部Ｇを開放して通行する必要がある場合でも、作業者は無理に手を使うなどの不安定な体勢を取ることなく安全に通行することが可能となる。また、パイプクランプ２と手摺材３等から成る比較的軽量かつシンプルな装置構成であり、パイプクランプ２にて適宜の建地パイプＢに固定するだけで設置が完了するものであるため、着脱作業を一人でも容易に行えて取り扱いやすい。更に、手摺材３を伸縮自在としているため、様々な間口の開口部Ｇに対しても柔軟に対応できると共に、不使用時にはコンパクト化でき、例えば搬送や保管の際に都合がよい。
【００２５】
なお、本実施例では手摺開口部Ｇを一基の開閉式手摺１にて開閉させるようにしたが、例えば、安全性を考慮して開口部Ｇの上下位置に複数の開閉式手摺１を並設することもでき、そのような場合であっても、作業者は手を使って開放操作せずとも上下位置の手摺材３に対して体の一部、例えば腰や足等を押し当ててそのまま押し進めることで同様に簡単かつスムーズに開放させて通行することができる。
【符号の説明】
【００２６】
１…開閉式手摺                    ２…パイプクランプ
３…手摺材                        ４…支持片
４ａ…溝部（支持片）
Ａ…仮設足場                      Ｂ…建地パイプ
Ｃ…横架材                        Ｄ…足場板
Ｅ…手摺                          Ｇ…手摺開口部
【図１】
2014009562.tif 000003
【図２】
2014009562.tif 000004
【図３】
2014009562.tif 000005
【図４】
2014009562.tif 000006
【図５】
2014009562.tif 000007
【図６】
2014009562.tif 000008
【図７】
2014009562.tif 000009
【図８】
2014009562.tif 000010